(57)【要約】  【課題】  本発明では、広告などの内容を多くの購買者に対して積極的に訴えることができるとともに、不使用時においてもコンパクトに収納できる商品情報展示具の提供を目的とする。  【解決手段】  販売促進を図る文字等の訴求内容が記載された訴求面を有する商品情報展示具１１，３１，４１であって、少なくとも一面を上記訴求面１４，１５，１６，１７に設定した多面体である複数の箱体１２…を具備し、上記箱体１２…を互いに連結する箱体連結手段１３を具備した商品情報展示具１１，３１，４１。  【選択図】    図１
2005319099.tif 000002
【特許請求の範囲】
【請求項１】
販売促進を図る文字等の訴求内容が記載された訴求面を有する商品情報展示具であって、
少なくとも一面を上記訴求面に設定した多面体である複数の箱体を具備し、
上記箱体を互いに連結する箱体連結手段を具備した
商品情報展示具。
【請求項２】
前記各箱体どうしを面接触させて、分離可能にその面接触状態を維持すべく、上記各箱体における両接触面に係合する係合用部材と、
上記両接触面に有して、上記係合用部材に係合される被係合部とで前記箱体連結手段を形成し、
上記被係合部を上記両接触面の縁部に設定した
請求項１に記載の商品情報展示具。
【請求項３】
互いに組み合わせた前記箱体における最下面の下側に配して、上記地面に接地される脚体を設け、
上記脚体と上記箱体とを互いを連結させる脚体連結手段を設けた
請求項１、又は請求項２に記載の商品情報展示具。
【請求項４】
前記脚体連結手段を、前記脚体の上部に有して、上記箱体の最下面に差し込んで連結する差し込み用突片と、
上記箱体の最下面に有して、上記差し込み用突片により差し込まれる被差し込み用凹溝とで形成した
請求項１から請求項３のいずれか一項に記載の商品情報展示具。
【請求項５】
前記箱体、及び／又は、前記脚体を折畳み、若しくは展開可能に形成した
請求項１から請求項４のいずれか一項に記載の商品情報展示具。
【請求項６】
前記箱体に吊着可能な紐部材を具備した
請求項１から請求項５のいずれか一項に記載に記載の商品情報展示具。
【発明の詳細な説明】
【技術分野】
【０００１】
この発明は、店内や、展示場などで陳列されている商品の販売促進を図るべく商品内容や広告などの情報を表示する商品情報展示具に関する。
【背景技術】
【０００２】
最近、商品に対する購買者のニーズが多様化している。しかも、商品サイクルが短縮化していることから、スーパーマーケット、量販店、或いはコンビニエンスストアなどの店内において、様々な商品が陳列されており、その入れ替わりも激しい。
【０００３】
このため、商品売場で直接、商品に関する情報を購買者に提供したり、商品を宣伝する広告を表示したりするためなどを目的として用いられるいわゆるＰＯＰ（Point  of  Purchase）用具ともよばれる商品情報展示具が重要視されている。
【０００４】
しかも、上記商品情報展示具は、購買者に対して視覚、イメージなどを通じて効果的に広告内容を訴えかけることができるため、非常に有効である。
【０００５】
このため、様々な商品情報展示具が提案されている。  
例えば、下記特許文献１の先行技術が提案されている。上記先行技術の開示によれば、表示具とよばれる商品情報展示具が提案されている。上記表示具の構成は、販売促進を図るためなどの文字などを表示した表示カードを片面で支持する板状の表示見本体部を有し、該表示見本体部の両側縁部には、該表示カードを差し込み可能な差し込み部を有して構成している。  
上記構成によれば、表示見本体部に表示カードを差し込んだとき、表示カードの縁部の破断面を差し込み部によって隠蔽することができる。このため、表示具と一体としたときにおける表示カードの美観を高めることができ旨の開示がされている。
【０００６】
しかし、上記構成によれば、表示カードを縁部側から見たときの見栄えを向上できるが、購買者に対して、表示カードの表示内容を積極的にアピールした表示形態となるわけではない。すなわち、従来のカード式の商品情報展示具と同様に平面状であり、購買者は、正面側に立たないと表示カードの内容を認識できないため、中には、表示カードの存在を見逃してしまう機会も多い。
【０００７】
また、上記表示具は、折畳みスタンドや、挟持スタンド、支柱状をしたスタンド台などの様々なスタンドを適宜、表示見本体部に対して付け換えて使用することができることも開示されている。
【０００８】
しかし、上記表示具は、上記スタンドを用いても、表示カードの表示高さを変えたり、方向を変えたりしかできず、表示する形態のパターンは乏しい。すなわち、表示カードの表示内容を見え易くしたり、見栄えよくしたりすることはできるが、表示内容を積極的にアピールしているとまではいえない。
【０００９】
また、上記表示具は、設置する形態に応じてスタンドを用意する必要がある。このため、表示具のコストも高くなり、しかも、使用していない他のスタンドは、持ち運びや収納の際に邪魔になるという問題も有する。
【００１０】
【特許文献１】特開２０００−１８１３５３号公報
【発明の開示】
【発明が解決しようとする課題】
【００１１】
そこで本発明では、広告などの内容を多くの購買者に対して積極的に訴えることができるとともに、不使用時においてもコンパクトに収納できる商品情報展示具の提供を目的とする。
【課題を解決するための手段】
【００１２】
本発明の商品情報展示具は、販売促進を図る文字等の訴求内容が記載された訴求面を有する商品情報展示具であって、少なくとも一面を上記訴求面に設定した多面体である複数の箱体を具備し、上記箱体を互いに連結する箱体連結手段を具備したことを特徴とする。
【００１３】
上記箱体連結手段は、マグネット、面ファスナ、ビス、或いは接着剤やテープなども含むが、その他、箱体どうしを係合可能な形態に箱体自体を形成するなど、箱体どうしを連結できる手段であればよい。
【００１４】
例えば、上記商品情報展示具を、上記各箱体どうしを面接触させて、分離可能にその面接触状態を維持すべく、上記各箱体における両接触面に係合する係合用部材と、上記両接触面に有して、上記係合用部材に係合される被係合部とで上記箱体連結手段を形成し、上記被係合部を上記両接触面の縁部に設定した構成とすることができる。
【００１５】
さらに、上記商品情報展示具は、互いに組み合わせた上記箱体における最下面の下側に配して、上記地面に接地される脚体を設け、上記脚体と上記箱体とを互いを連結させる脚体連結手段を設けることができる。
【００１６】
上記脚体連結手段も、上記箱体連結手段と同様に、マグネット、面ファスナ、ビス、或いは接着剤やテープなども含むが、その他、脚体と箱体どうしを係合可能な形態に箱体自体を形成するなど、脚体と箱体どうしを連結できる手段であればよい。
【００１７】
例えば、上記商品情報展示具を、上記脚体連結手段を、上記脚体の上部に有して、上記箱体の最下面に差し込んで連結する差し込み用突片と、上記箱体の最下面に有して、上記差し込み用突片により差し込まれる被差し込み用凹溝とで形成した構成とすることができる。
【００１８】
また、上記商品情報展示具は、上記箱体、及び／又は、上記脚体を折畳み、若しくは展開可能に形成した構成とすることができる。
【００１９】
さらに、上記商品情報展示具は、上記箱体に吊着可能な紐部材を具備することもできる。
【発明の効果】
【００２０】
以上のように、請求項１に係る発明によれば、積極的に訴求内容を訴えることができる。なぜなら、多面体である箱体を具備するため、その立体感により、ディスプレイ効果が向上し、購買者の目に付き易く、印象にも残り易いためである。
【００２１】
さらに、商品情報展示具を平面状に構成した場合においては、訴求内容が全く見えなかった方向からでも積極的に購買者に視認させることができる。
【００２２】
商品情報展示具を多面体の箱体で構成することで、平面状に構成するのと比較して剛性が高くなり、強度も向上させることができる。
【００２３】
さらに、複数の箱体を用いることで、例えば、箱体の厚み方向についても連結できるようになるため、様々な組み合わせパターンで組み合わせることができる。よって、商品情報展示具を様々な形態で構成することができる。
【００２４】
また、商品情報展示具の使用者は、複数の箱体を、任意の形態に組み合わせることができる。
【００２５】
これにより、例えば、ゴンドラのサイズなど設置場所に適した形態で、商品情報展示具を構成したり、商品情報展示具の形態を変更することで店内の雰囲気を変更したりすることができる。
【００２６】
請求項２に係る箱体連結手段を用いることで、箱体どうしを強固に連結でき、しかも容易に箱体どうしを分離することができる。
【００２７】
請求項３に係る発明によれば、箱体を直接、地面に接地しないため、訴求面が汚れることがなく、しかも、脚体を具備することで、商品情報展示具を単独で地面に設置することができるため、購買者の目に付き易くすることができるとともに、より立体感を醸し出すことができる。
【００２８】
請求項４に係る発明によれば、商品情報展示具は、脚体連結手段を具備した形態で構成すれば、脚体と箱体とを互いに抜き差しするだけで、容易に着脱することができる。
【００２９】
請求項５に係る発明によれば、不使用時においては、折り畳んで収容でき、持ち運びも容易にできる。
【００３０】
請求項６に係る発明によれば、容易に天吊りタイプの全く異なった形態で商品情報展示具を構成することができる。箱体を組み合わせて構成した商品情報展示具を吊下できるため、多くの人に訴求面を視認させることができる。
【発明を実施するための最良の形態】
【００３１】
この発明の一実施形態を、以下図面を用いて説明する。  
図１は、スーパーマーケットなどの店舗内において、商品陳列棚Ａに商品Ｃが陳列されている様子を表す。さらに、図１では、商品陳列棚Ａの上端に、上記陳列している商品Ｃの販売促進を図るため、本実施形態に係るＰＯＰ用具１１を設置している様子を示している。
【００３２】
ＰＯＰ用具１１は、合計４つの箱体１２…のそれぞれを、後述する係合用部材１３とよばれる部材を用いて連結して構成している。
【００３３】
上記図１中のＰＯＰ用具１１は、左右方向に３つの箱体１２…を配置し、その真中の箱体１２の上面に別の箱体１２を配置した組み合わせ形態で構成している。
【００３４】
上記４つの箱体１２…は、それぞれ同一の形態で厚紙により形成している。上記各箱体１２の構成は、正方形の板状に構成している。具体的には、図２（ａ），図３に示したように、箱体１２は、上記図１における正面と背面に対応する対向面を正方形で構成し、正方形の厚み方向を構成する箱体１２の側面は、そのいずれかの側面を底面としたとき、該箱体１２が起立できる程度の幅を有して構成している。  
なお、箱体１２は、右側面と左側面、及び、正面と背面とが同一の形態で構成しているため、図３では、箱体１２の左側面図と背面図とを省略する。
【００３５】
ここで、上記箱体１２における上記図１の正面、背面、左右各側面、上面、及び底面に対応する面をそれぞれ正面部１４、背面部１５、右側面部１６、左側面部１７、上面部１８、及び、底面部１９に設定する。
【００３６】
さらに、正面部１４、背面部１５、及び、左右各側面部１６，１７には、それぞれ商品内容を案内するため、或いは販売促進を図るために、広告内容を表す文字や絵などがプリントされた広告面を構成している。  
なお、各図面においては、箱体１２の広告面に対応する面１４，１５，１６，１７には、「＊」印を付して、その具体的な文字や絵などを省略する。
【００３７】
上記箱体１２の４つの側面（上面部１８、底面部１９、及び、左右各側面部１６，１７）における長さ方向の両縁部には、その幅方向の中間部に、半円弧状の破断線２１を構成して、該破断線２１の内側を切り抜き可能に構成している。上記破断線２１を破断しときの内側の部位を取り除けば、親指が差し込み可能な大きさをした半円状の切り欠き孔部２２を構成することができる。
【００３８】
また、上記箱体１２は、図２（ｂ）に示したように、折畳み可能に構成している。具体的には、正面部１４、背面部１５、及び、上面部１８，及び，底面部１９の４面は、周方向に一体に構成している。そして、左右各側面部１６，１７は、フラップ状に構成して、左右各側面部１６，１７となる部位を有するフラップ２３を背面部１５の左右両縁部から延設している。  
さらに、上面部１８、及び、底面部１９の左右両縁部にも上記フラップ２３と係合する係合用フラップ２４を構成し、上記フラップ２３と係合用フラップ２４とで左右各側面部１６，１７を、開閉可能に構成している。
【００３９】
続いて、図４に示したように、上記係合用部材１３は、合成樹脂製であり、子供の小指程度の大きさで構成している。その具体的な形状は、直線状の部材の略中間部で２つ折りにした形状で構成し、該２つ折りにした形状において、互いに対向する一対の係合爪１３ａ，１３ｂを構成している。なお、一方の係合爪１３ａの先端側は、指先を当接して係合し易いように湾曲させている。さらに、係合用部材１３は、上記一対の係合爪１３ａ，１３ｂにおける互いに対向する各面上に、突起部１３ｃを交互に突設している。
【００４０】
以上がＰＯＰ用具１１の構成であり、以下では、ＰＯＰ用具１１を上記図１に示した形態に組み立てる手順について説明する。  
まず、図５（ｂ）に示した形態となるように、一方の箱体１２の右側面部１６と他方の箱体１２の左側面部１７とを面接触させる。このとき、互いに面接触する各面部１６，１７の両端部の角部に対応する破断線２１を、予め手で破断して切り抜き、切り欠き孔部２２を設けておく。
【００４１】
これにより、図５（ａ）の要部拡大図に示したように、一方の箱体１２の右側面部１６と他方の箱体１２の左側面部１７とにおける切り欠き孔部の縁部２５が一致する。そして、その角部に対応する各箱体１２の上面部１８の切り欠き孔部２２ａ，２２ｂが互いに連接され、略円形状の切り欠き孔部２２ａ，２２ｂを構成することになる。
【００４２】
この状態で、係合用部材１３を係合爪１３ａ，１３ｂの先端側から各箱体１２が接触した各面部１６，１７の上側における上記円形状の切り欠き孔部２２ａ，２２ｂに差し込む。そして、係合用部材１３によって、一方の箱体１２の右側面部１６における切欠き孔部の縁部２５と、他方の箱体１２の左側面部１７とにおける切欠き孔部の縁部２５とをともに係合する（図５（ａ）参照）。
【００４３】
続いて、上記各箱体１２，１２の接触面１６，１７における下側においても上述と同様に、係合用部材１３により係合させれば、図５（ｂ）に示したように箱体１２どうしを強固に連結することができる。
【００４４】
上述したように、上記係合用部材１３を上記切欠き孔部の縁部２５に係合させれば、係合用部材１３自体を箱体１２内部へ隠蔽できるため、箱体１２，１２全体の見栄えを確保することができる。
【００４５】
さらに、上記係合用部材１３を用いて上述と同様の手順により、もう一つの箱体１２を左右方向に連結すれば、３つの箱体１２…を左右方向に連結することができる（図示せず）。そして、図６（ｂ）に示した形態となるように、その真中の箱体１２の上面に４つ目の箱体１２を載置する。  
なお、上記４つ目の箱体１２における下面の両角部に対応する破断線２１は予め、切り抜いておき、切り欠き孔部２２を構成している。
【００４６】
この状態で、図６（ａ）の要部拡大図に示したように、上側の箱体１２の下面部１９と下側の箱体１２の上面部１８とにおける互いに重合する切り欠き孔部の縁部２５ｂにも係合用部材１３を係合させれば、上側の箱体１２と下側の箱体１２を強固に連結することができる。  
なお、図６（ａ）では、箱体１２の右側における切り欠き孔部の縁部２５ｂを係合用部材１３で係合した状態を示していないが、当然、箱体１２の左側における切り欠き孔部の縁部においても、上述と同様に係合用部材１３で係合している。
【００４７】
このように、箱体１２…を連結すれば、箱体１２の角部に対応する切り欠き孔部２２ｃ，２２ｄは、略円形状に開口しているため、該切り欠き孔部２２ｃ，２２ｄに係合用部材１３を差し込む際に、指などが阻害されないため、容易に連結することができる。  
なお、切り欠き孔部２２ｃ，２２ｄのうち、一方の切り欠き孔部２２ｃ，又は２２ｄのみを切り欠いて、係合用部材１３を差し込み、切り欠き孔部２２ａの縁部２５ｂに係合してもよい。
【００４８】
このようにして、箱体１２…を連結すれば、切り欠き孔部２２を少なくした状態で連結できるため、ＰＯＰ用具１１全体の見栄えをさらに良好に保つことができる。
【００４９】
以上により、図６（ｂ）に示したように、４つの箱体１２…を一体に組み合わせてＰＯＰ用具１１を構成することができる。そして、上記組み合わせた箱体１２…の最下面を、例えば、両面テープなどで商品陳列棚Ａの上端面に接着することにより、ＰＯＰ用具１１は、上記図１に示したように設置することができる。
【００５０】
ＰＯＰ用具１１は、接着剤やテープを使用しないで、箱体１２…を連結できるため、上述したように、容易に、且つ様々な形態に箱体１２を組み立てることができる。例えば、図７（ａ）に示したように別の形態へ容易に変更することもでき、図７（ｂ）に示したように４つの箱体１２の全てを連結せずに、商品陳列棚Ａの棚ごとに単独で設置するなど適宜、様々な形態に変更することができる。
【００５１】
また、上記ＰＯＰ用具３１は、図８に示したように、商品陳列棚Ａの近傍などに、直接、地面に設置することもできる。すなわち、ＰＯＰ用具３１は、４つの箱体１２…を上記係合用部材１３を用いて上下方向に連結し、その最下面には、脚体３２と呼ばれる部材を連結した形態で構成している。  
上記ＰＯＰ用具３１における上記脚体３２は、図９に示したような形態であり、具体的には、上記脚体３２は、上記箱体１２と同様に厚紙により形成し、屋根形をした設置部３３とその上端部から突き出した箱体連結部３４とで構成している。
【００５２】
上記設置部３３の下面は、地面に設置可能な面状に構成している。また、上記箱体連結部３４は、長さ向の中央部と、その両側とがそれぞれ上方に突起した片状の形態で構成している。具体的には、上記箱体連結部３４の中央部には、上記箱体１２に差し込んで取り付け可能な脚体差し込み用突片３５を形成し、その両側と比較して突き出して形成している。
【００５３】
さらに、上記箱体連結部３４の両側には、箱体１２を安定した状態で支持するよう突き出した支持片３６を形成している。さらに、上記支持片３６における上記脚体差し込み用突片３５と隣接する側の角部３６ａに面取りを施している。
【００５４】
一方、上記箱体１２についても、上記脚体３２を取り付け可能に形成している。  
具体的には、上記図２，図３（ａ），（ｃ）に示したように、箱体１２の底面部１９における両側における幅方向に、正面部１４、背面部１５の下部にかけて切り取り可能な破断線３７を形成している。上記破断線３７を切り抜けば、上記脚体差し込み用突片３５を差し込み可能な脚体差し込み用凹溝３８を形成することができる。
【００５５】
上述したように、脚体３２、及び、箱体１２を構成し、以下、図８に示した形態となるよう箱体１２に２つの脚体３２，３２とを連結する手順について説明する。  
まず、上下方向に連結した４つの箱体１２のうち最下面に位置する破断線３７を予め破断しておき、２つの脚体差し込み用凹溝３８，３８を形成しておく。
【００５６】
そして、一方の脚体３２の脚体差し込み用突片３５を箱体１２における一方の脚体差し込み用凹溝３８に差し込むとともに、他方の脚体３２の脚体差し込み用突片３５を他方の脚体差し込み用凹溝３８に差し込めば、図１０（ａ）に示したように箱体１２と脚体３２とを連結することができる。
【００５７】
また、上記図１で示した箱体１２の組み立て形態を採るＰＯＰ用具３１における左右各側の箱体１２に、上述した同様の手順により脚体３２を１つづつ連結すれば図１０（ｂ）に示したようなＰＯＰ用具３１なども構成することができ、様々な形態を容易に構成することができる。
【００５８】
上述したいずれの形態のＰＯＰ用具３１においても、箱体１２と脚体３２とを連結したとき、箱体１２における脚体差し込み用凹溝３８の両縁部に、脚体３２の支持片３６における面取りした部位３６ａ（図９参照）が当接した状態で連結することができる。
【００５９】
このため、上記支持片３６により、箱体１２が前後方向へ傾倒しないように支持することができ、ＰＯＰ用具３１は、安定した状態で設置することができる。
【００６０】
また、上記脚体３２は、上記箱体１２と同様に平面状に展開可能に形成している。すなわち、脚体３２は、図１１のような形態に展開することができるため、持ち運びも容易である。
【００６１】
さらに、他の実施形態に係るＰＯＰ用具４１について説明する。  
ＰＯＰ用具４１は、例えば、天井面や壁面から吊下可能に形成することができる。上記構成を採る場合、ＰＯＰ用具４１を天井面から吊下する長さ、吊下可能な強度を有する紐部材４２を具備している。その紐部材４２の両端部には、紐部材４２を箱体１２に取付けるための棒片状のストッパ金具４２ａが固着されている。
【００６２】
具体的には、上記紐部材４２は、その棒片状をしたストッパ金具４２ａの長さ方向の中間部から垂直方向に吊下可能に固着されている。
【００６３】
一方、箱体１２についても上面中央部に、上記図３（ａ）に示したように、上記ストッパ金具４２ａを挿通可能な小孔４４を構成すべく、小孔４４に対応する部位を破断可能な破断線４３を構成している。
【００６４】
上記構成を採るＰＯＰ用具４１の箱体１２に紐部材４２を取り付ける手順について説明する。  
まず、組み合わせた箱体１２における、ＰＯＰ用具４１をバランスよく吊下するために所定の箱体１２の小孔４４に対応する破断線４３を打ち抜いて、小孔４４を構成する。
【００６５】
さらに、箱体１２と紐部材４２との連結は、図１２に示したように行う。すなわち、上記小孔４４に、紐部材４２の端部をストッパ金具４２ａごと挿通し、該ストッパ金具４２ａを箱体１２内に入れる。
【００６６】
そして、箱体１２の例えば、右側面部１６に対応する部位を開口し、箱体１２の外部から一方の手で紐部材４２を抜く方向に引っ張りながら、もう一方の手で箱体１２の内部に手を入れて小孔４４の縁部４４ａにストッパ金具４２ａを係合させれば、紐部材４２を取り付けることができる。
【００６７】
これを、もう一方の紐の端部についても上述と同様に所定の箱体１２に取り付ける。このように、４つの箱体１２…のうち、２つの箱体１２，１２に紐部材４２を取り付ければ、例えば、図１３（ａ），（ｂ）に示したような形態のＰＯＰ用具４１を天井や壁面に吊下することができる。
【００６８】
このように、ＰＯＰ用具４１を吊下すれば、視認性が向上し、より訴求効果を向上させることができる。
【００６９】
上述したように、ＰＯＰ用具１１，３１，４１は、様々な形態で構成することができる。  
なお、上記各訴求面１４，１５，１６，１７は、上述した面に形成することに限定せず、箱体１２における少なくとも一面に形成していればよい。
【００７０】
上述の実施形態と、この発明の構成との対応において、この実施形態の切り欠き孔部の縁部２５は、この発明の被係合部に対応し、ＰＯＰ用具１１，３１，４１は、商品情報展示具に対応するも、このように、この発明は、上述の実施形態の構成のみに限定されるものではなく、多くの実施の形態を得ることができる。
【図面の簡単な説明】
【００７１】
【図１】ＰＯＰ用具の使用状態図。
【図２】箱体の外観図。
【図３】箱体の平面図。
【図４】係合用部材の側面図（ａ），図４（ａ）におけるＡ−Ａ断面図（ｂ）。
【図５】ＰＯＰ用具の組み立て手順を説明する説明図。
【図６】ＰＯＰ用具の組み立て手順を説明する説明図。
【図７】ＰＯＰ用具の使用状態図。
【図８】ＰＯＰ用具の使用状態図。
【図９】脚体の外観図。
【図１０】ＰＯＰ用具の使用状態図。
【図１１】脚体を展開した状態を示す説明図。
【図１２】ＰＯＰ用具の組み立て手順を説明する説明図。
【図１３】ＰＯＰ用具の使用状態図。
【符号の説明】
【００７２】
１１，３１，４１…ＰＯＰ用具
１２…箱体
１３…係合用部材
１４，１５，１６，１７…訴求面
２５…切り欠き孔部の縁部
３２…脚体
４２…紐部材
【図１】
2005319099.tif 000003
【図２】
2005319099.tif 000004
【図３】
2005319099.tif 000005
【図４】
2005319099.tif 000006
【図５】
2005319099.tif 000007
【図６】
2005319099.tif 000008
【図７】
2005319099.tif 000009
【図８】
2005319099.tif 000010
【図９】
2005319099.tif 000011
【図１０】
2005319099.tif 000012
【図１１】
2005319099.tif 000013
【図１２】
2005319099.tif 000014
【図１３】
2005319099.tif 000015